(57)【要約】【課題】リモコンの配置の自由度を高めるパワーコンディショナを提供する。【解決手段】パワーコンディショナ１００は、開口部１１０ａを有する本体ケース１１０（筺体）と、開口部１１０ａを覆うフロントパネル１２０と、備える。フロントパネル１２０は、リモコン２００の表示部２１０を光学的に露出させる表示窓部１３０と、リモコン２００の操作部２２０に対して、外部からの操作を物理的に禁止する操作禁止領域部１４０と、を備える。【選択図】図１
2018068091.tif 000002
【特許請求の範囲】
【請求項１】
開口部を有する筺体と、
前記開口部を塞ぐフロントパネルと、
本体を遠隔操作するリモコンと、を備え、
前記リモコンは、
前記筺体に収容可能なリモコン筺体と、
前記本体の運転を操作する操作部と、
前記本体の運転状況を表示する表示部と、を備え、
前記フロントパネルは、
前記表示部を露出させる表示窓部と、
前記操作部に対して、外部からの操作を物理的に禁止する操作禁止領域部と、を備える
ことを特徴とするパワーコンディショナ。
【請求項２】
前記表示窓部は、
前記フロントパネルに開口した表示窓枠と、
前記表示窓枠を覆う透過板と、
前記透過板を表示窓枠の外周部に固定する固定部材と、
前記表示窓枠の外周側を周回して形成された凹形状となる凹部と、
前記凹部の前記表示窓枠側から前方に傾斜しながら突出する傾斜部と、
前記傾斜部の頂部において前記透過板の取付面となる平面的な平坦面部と、を備える
ことを特徴とする請求項１に記載のパワーコンディショナ。
【請求項３】
前記フロントパネルは、
中央側で凸となるように湾曲し、
前記操作禁止領域部は、前記フロントパネルに形成された前記凹部および前記傾斜部を含んでいる
ことを特徴とする請求項２に記載のパワーコンディショナ。
【請求項４】
前記筺体は、
前記リモコンの前記操作部による操作を前記本体側で行う運転切替部を備える
ことを特徴とする請求項１に記載のパワーコンディショナ。
【発明の詳細な説明】
【技術分野】
【０００１】
本発明は、パワーコンディショナに関する。
【背景技術】
【０００２】
太陽光発電システム等に使用されるパワーコンディショナは、太陽光パネルが出力する直流電力を交流電力に変換して商用系統に出力する。パワーコンディショナは、一般に屋外に設置される。また、パワーコンディショナに、別体のリモートコントローラ（以下、リモコンという）を接続し、リモコンによりパワーコンディショナの状態を表示するとともに、パワーコンディショナを遠隔操作する。
【０００３】
特許文献１には、任意に設定した単位期間毎のパワーコンディショナの出力データを算出手段で算出して表示手段（リモコンの表示部に対応）に表示するパワーコンディショナが記載されている。
特許文献２には、太陽電池の出力を交流電力に変換し系統電力線に連系出力するインバータ装置本体と該インバータ装置本体を遠隔より操作するとともにインバータ装置本体の情報を表示する遠隔操作部とを有する系統連系インバータ装置が記載されている。
【０００４】
屋外に設置されたパワーコンディショナから屋内まで信号線を引き込み、この信号線にリモコンを接続することで、一般使用者（ユーザ）は、リモコンの表示部にパワーコンディショナの状態を表示することができ、また操作部によりパワーコンディショナを遠隔操作することができる。リモコンは、パワーコンディショナとの間で長期に亘って常時接続される要請があるため、電源（バッテリ）や各種設定を必要としない有線接続が用いられる。一方で、リモコンを使用してまでパワーコンディショナを操作しない一般使用者（ユーザ）も多い。このため、リモコンは、通常、別売で提供される。リモコンを接続する場合、前記のように有線接続となる。なお、点検作業者は、パワーコンディショナのフロントパネルを開放して、内部基板上に設置された７セグメント表示部等を確認し、点検操作を行うことができる。
【先行技術文献】
【特許文献】
【０００５】
【特許文献１】特開平１１−１１９８４７号公報
【特許文献２】特開平１０−１５０７７８号公報
【発明の概要】
【発明が解決しようとする課題】
【０００６】
一般使用者（ユーザ）は、屋内においてリモコンの操作部を操作することでパワーコンディショナを運転操作することができる。しかしながら、当該一般使用者（ユーザ）は、屋外に設置されたパワーコンディショナの前では、パワーコンディショナの状態を確認したり、操作を行うことは一切できない。このため、リモコンがある屋内に一旦戻って操作を行わざるを得ない。パワーコンディショナにあらかじめ表示部を設けておくことが考えられるが、使用頻度の低い、あるいは全く使用されない可能性のある表示部を設けることは、費用対効果の点で好ましくない。
【０００７】
本発明は、このような事情に鑑みてなされたものであり、リモコンの配置の自由度を高めるパワーコンディショナを提供することを目的とする。
【課題を解決するための手段】
【０００８】
上記課題を解決するために、本発明によるパワーコンディショナは、開口部を有する筺体と、前記開口部を塞ぐフロントパネルと、本体を遠隔操作するリモコンと、を備え、前記リモコンは、前記筺体に収容可能なリモコン筺体と、本体の運転を操作する操作部と、本体の運転状況を表示する表示部と、を備え、前記フロントパネルは、前記表示部を露出させる表示窓部と、前記操作部に対して、外部からの操作を物理的に禁止する操作禁止領域部と、を備えることを特徴とする。
【発明の効果】
【０００９】
本発明によれば、リモコンの配置の自由度を高めるパワーコンディショナを提供することができる。
【図面の簡単な説明】
【００１０】
【図１】本発明の実施形態に係るパワーコンディショナの構造を示す斜視図である。
【図２】上記実施形態に係るパワーコンディショナの右底部から見た斜視図である。
【図３】上記実施形態に係るパワーコンディショナの構成図であり、（ａ）はその正面図、（ｂ）は（ａ）のＡ−Ａ断面図である。
【図４】上記実施形態に係るパワーコンディショナの底面図である。
【図５】上記実施形態に係るパワーコンディショナのフロントパネルの構成図であり、（ａ）はその正面図、（ｂ）は（ａ）のＡ−Ａ断面図である。
【図６】上記実施形態に係るパワーコンディショナの表示窓部の斜視図であり、図１の表示窓部の要部拡大図である。
【図７】上記実施形態に係るパワーコンディショナの表示窓部の透過板の構成を示す平面図であり、（ａ）はフロントパネル表側透過板を示す図、（ｂ）はフロントパネル裏側透過板を示す図である。
【図８】上記実施形態に係るパワーコンディショナのフロントパネルを取り外した本体ケースの機械的構成を示す斜視図である。
【図９】上記実施形態に係るパワーコンディショナの本体ケースを前面から見た正面図である。
【図１０】上記実施形態に係るパワーコンディショナの端子台部に設けられたリモコン壁掛け用取付板を示す斜視図である。
【図１１】上記実施形態に係るパワーコンディショナの運転切替スイッチを説明する図であり、（ａ）は運転切替スイッチの設置場所を示す斜視図、（ｂ）は運転切替スイッチの蓋を示す斜視図である。
【図１２】上記実施形態に係るパワーコンディショナの運転切替スイッチの構造を示す斜視図であり、（ａ）は運転切替スイッチおよび樹脂ケースの斜視図、（ｂ）は樹脂ケースを取り外した場合の運転切替スイッチの斜視図である。
【図１３】上記実施形態に係るパワーコンディショナの運転切替スイッチおよび樹脂ケースを含む本体ケースの底部の要部断面図である。
【図１４】上記実施形態に係るパワーコンディショナのリモコンの構成を示す図であり、（ａ）はリモコンの正面図、（ｂ）はリモコンおよびリモコン壁掛け用取付板の分解斜視図である。
【図１５】上記実施形態に係るパワーコンディショナおよびリモコンを使用した太陽光発電システムの構成を示す図である。
【図１６】上記実施形態に係るパワーコンディショナのおよびリモコンの使用方法を説明する図であり、（ａ）はリモコンが屋内に設置されている場合の使用例、（ｂ）はリモコンがパワーコンディショナ内に収容されている場合の使用例である。
【発明を実施するための形態】
【００１１】
以下、本発明の実施形態について図面を参照して詳細に説明する。
図１は、本発明の実施形態に係るパワーコンディショナ１００の構造を示す斜視図である。図２は、パワーコンディショナ１００の右底部から見た斜視図である。図３は、パワーコンディショナ１００の構成図であり、（ａ）はその正面図、（ｂ）は（ａ）のＡ−Ａ断面図である。図４は、パワーコンディショナ１００の底面図である。
【００１２】
［パワーコンディショナ］
パワーコンディショナ１００は、太陽光発電システム等に使用され、太陽光パネルから供給された直流電力を交流電力に変換し、外部の負荷または商用電源系統に供給する。
図１〜図４に示すように、本実施形態のパワーコンディショナ１００は、各種部品を収容する略直方体形状の本体ケース１１０（筺体）と、本体ケース１１０の前面の開口部１１０ａ（図８参照）を覆うフロントパネル１２０と、備える。フロントパネル１２０には、パワーコンディショナ１００内に収容されたリモコン２００の表示部２１０（図３参照）を露出させる長方形状の表示窓部１３０が形成されている。また、表示窓部１３０の下方は、パワーコンディショナ１００内に収容されたリモコン２００の操作部２２０（図３参照）に対して、外部からの操作を物理的に禁止する操作禁止領域部１４０となっている。
また、本体ケース１１０の底部１１０ｂには、ケーブル配線用の円形の貫通孔１１１（図２および図４参照）と、運転切替スイッチ１５０（運転切替部）(図９および図１２
)を塞ぐ蓋１１２（図２および図４参照）が取り付けられている。運転切替スイッチ１５０については、図１２〜図１４により後記する。
【００１３】
<フロントパネル>
図５は、フロントパネル１２０の構成図であり、（ａ）はその正面図、（ｂ）は（ａ）のＡ−Ａ断面図である。
図１〜図５に示すように、フロントパネル１２０は、本体ケース１１０の開口部１１０ａ（図８参照）を覆う板部材であり、平面視して略矩形に形成された圧延鋼板等の金属板からなる。フロントパネル１２０は、本体ケース１１０の外壁部と同色の塗装が施されている。
フロントパネル１２０は、前面視して中央側で前方向に凸となるように湾曲する矩形のパネル部１２１と、パネル部１２１の外周部を形成する縁部１２２と、を有する。パネル部１２１は、縁部１２２との境界部１２２ａから前方に突出し、さらに幅方向に亘って同じ曲率で僅かに湾曲することによって前側に凸となる。縁部１２２は、フロントパネル１２０の取付け部として後方に延出する枠部１２２ｂを有し、枠部１２２ｂが本体ケース１１０に嵌め込まれる。
【００１４】
<表示窓部>
図１〜図４に示すように、フロントパネル１２０の右下側には、パワーコンディショナ１００内に収容されたリモコン２００の表示部２１０を光学的に露出させる表示窓部１３０が形成されている。
図６は、表示窓部１３０の斜視図であり、図１の表示窓部１３０の要部拡大図である。
図５および図６に示すように、表示窓部１３０は、フロントパネル１２０の右下側の板厚を矩形状に開口した表示窓枠１２０ａと、表示窓枠１２０ａをフロントパネル表側から覆うフロントパネル表側透過板１３１（透過板）（後記図７（ａ）参照）と、フロントパネル裏側から覆うフロントパネル裏側透過板１３２（透過板）（後記図７（ｂ）参照）と、これら透過板１３１，１３２（後記図７（ｂ）参照）を表示窓枠１２０ａの外周部に貼り付ける構造用接合テープ１３３，１３４（固定部材）（図７参照）と、を有する。構造用接合テープ１３３，１３４には、例えばアクリルフォームが使用される。
【００１５】
図６に示すように、パネル部１２１は、表示窓枠１２０ａの外周側を周回して形成された凹形状となる凹部１２１ａと、凹部１２１ａの表示窓枠１２０ａ側から前方に傾斜しながら突出する傾斜部１２１ｂと、傾斜部１２１ｂの頂部から内側に延びる平坦面部１２１ｃと、平坦面部１２１ｃから本体ケース１１０側に窪んで透過板１３１の取付面となる平坦面部１２１ｄと、を有する。透過板１３１は、平坦面部１２１ｄの表面に構造用接合テープ１３３で貼り付けられる。透過板１３１が平坦面部１２１ｄに貼り付けられた後には、平坦面部１２１ｃと透過板１３１は面一で揃う。また、平坦面部１２１ｄの裏面には、透過板１３２が、構造用接合テープ１３４で貼り付けられる。このように、表示窓枠１２０ａは、平坦面部１２１ｄの表面と裏面の両面から、構造用接合テープ１３３，１３４によって透過板１３１と透過板１３２がそれぞれ貼り付けられる。
【００１６】
平坦面部１２１ｃおよび表示窓枠１２０ａは、図５（ｂ）に示すように、断面視して直線となっている。これに対して、フロントパネル１２０のパネル部１２１は、中央側で前方向に凸となるように僅かに湾曲している。すなわち、フロントパネル１２０は、湾曲したパネル部１２１の一部領域に、断面視して直線的な表示窓枠１２０ａが形成された構成となっている。このため、直線的な表示窓枠１２０ａと湾曲したパネル部１２１との間で隙間が生じることが考えられる。本実施形態では、このような隙間の発生要因を、凹部１２１ａの凹形状の変化、および／または傾斜部１２１ｂのテーパ面の変化を用いて徐々に（段階的に）吸収して表示窓部１３０の密閉を保つように構成する。具体的には、パネル部１２１の中央部側では、その周辺部側よりも、凹部１２１ａから傾斜して立ち上がる傾斜部１２１ｂのテーパ面のスロープの角度（プロファイル）を段階的により大きくする。このとき、凹部１２１ａの凹形状をパネル部１２１の中央部側とその周辺部側とで徐々に変化させてもよい。
【００１７】
図６に示すように、パワーコンディショナ１００内にリモコン２００が収容された場合、リモコン２００の表示部２１０の表示が表示窓部１３０の透過板１３１，１３２（後記図７（ｂ）参照）を通して目視できる。後記するように、表示窓部１３０には、フロントパネル表側透過板１３１（後記）にスモーク印刷１３１ｂ（後記）を施すことで、あえてリモコン２００の表示部２１０の表示画面にスモークを掛けているが、それでも鮮明に表示窓部１３０に表示することができる。
また、フロントパネル１２０の右下側に形成された矩形の表示窓枠１２０ａを取り囲む凹部１２１ａおよび傾斜部１２１ｂのうち、下辺の凹部１２１ａおよび傾斜部１２１ｂは、操作禁止領域部１４０の一部を形成している。
【００１８】
<フロントパネル表側透過板およびフロントパネル裏側透過板>
図７は、表示窓部の透過板の構成を示す平面図であり、（ａ）はフロントパネル表側透過板を示す図、（ｂ）はフロントパネル裏側透過板を示す図である。
図１〜図４に示すように、フロントパネル表側透過板１３１は、フロントパネル１２０の外側から、構造用接合テープ１３３によって、表示窓部１３０を構成する表示窓枠１２０ａの外周部に貼り付けられる。
図７（ａ）に示すように、フロントパネル表側透過板１３１は、ポリカーボネート（ＰＣ）プレートからなる半透明樹脂板であり、窓部（図７（ａ）破線囲み参照）１３１ａ内がスモーク印刷１３１ｂされ、窓部１３１ａの外周側が目隠し印刷１３１ｃされている。フロントパネル表側透過板１３１の目隠し印刷１３１ｃ側の背面には、構造用接合テープ１３３が貼り付けられる。窓部１３１ａは、パワーコンディショナ１００内に収容されたリモコン２００の表示部２１０の表示画面に対応している。
【００１９】
図７（ｂ）に示すように、フロントパネル裏側透過板１３２は、ポリカーボネート（ＰＣ）プレートからなる透明樹脂板であり、フロントパネル表側透過板１３１のような印刷は施されていない。フロントパネル裏側透過板１３２の背面には、構造用接合テープ１３４が貼り付けられる。
【００２０】
フロントパネル表側透過板１３１にスモーク印刷１３１ｂが施されているので、前記図６に示すように、パワーコンディショナ１００内にリモコン２００が収容された場合、リモコン２００の表示部２１０の表示画面は、スモークが掛けられてややトーンを落として表示窓部１３０に表示される。トーンは落とされているが、表示窓部１３０から目視できる表示自体は鮮明である。また、トーンが落とされていることで、パワーコンディショナ１００内にリモコン２００が収容された場合、リモコン２００の表示部２１０の表示画面がフロントパネル１２０の表側から極端に目立って表示されることを抑制することができる。屋外に設置されたパワーコンディショナ１００では、収容されたリモコン２００の表示部２１０の表示画面を誰でも見ることができる。この際、個人情報にかかる表示画面の内容を極端に目立たせたくない要請がある。また、表示画面が明るく表示されていると、第三者にとって、光害となる虞もある。さらに、パワーコンディショナ１００の設置場所を第三者に積極的に知らせる必要性がない（いたずら防止など）にもかかわらず、表示画面が明るく表示されていると、パワーコンディショナ１００の設置場所を強調することになる。本実施形態では、表示窓部１３０に表示されるリモコン２００の表示部２１０の表示画面のトーンを落とすことで、必要な視認性は確保しつつ、上記懸念材料を払拭することができる。
【００２１】
前記図７（ａ）に示すように、フロントパネル１２０の外側から、構造用接合テープ１３３によってフロントパネル表側透過板１３１を表示窓枠１２０ａの外周部に貼り付け、かつ、フロントパネル１２０の内側から、構造用接合テープ１３４によってフロントパネル裏側透過板１３２を表示窓枠１２０ａの外周部に貼り付けた場合、表示窓枠１２０ａは、両面配置されたフロントパネル表側透過板１３１とフロントパネル裏側透過板１３２とによって密閉される。表示窓部１３０の表側のフロントパネル表側透過板１３１と表示窓部１３０の裏側のフロントパネル裏側透過板１３２との間で空気層を形成する。この空気層によって、パワーコンディショナ１００の本体外側と内側との温度差により生じる結露防止を図る。
また、フロントパネル１２０の外側と内側の両面から、構造用接合テープ１３３，１３４によってフロントパネル表側透過板１３１とフロントパネル裏側透過板１３２を貼り付けた透過板の二重構成とすることで、防水の確度を上げることができる。
【００２２】
<操作禁止領域部>
操作禁止領域部１４０（図１等参照）は、パワーコンディショナ１００内に収容されたリモコン２００の操作部２２０に対して、外部からの操作を物理的に禁止する領域であり、表示窓部１３０の下方のパネル部１２１に形成されている。操作禁止領域部１４０は、パネル部１２１に形成された凹部１２１ａ（図６参照）および傾斜部１２１ｂのうち、下辺の凹部１２１ａおよび傾斜部１２１ｂを含んでいる。操作禁止領域部１４０が凹部１２１ａおよび傾斜部１２１ｂを含むことで、パネル部１２１の曲げ剛性を高めることができ、パワーコンディショナ１００外からの不正押圧操作を防止することができる。なお、フロントパネル１２０は、パネル部１２１が前側に凸で湾曲しているので、外部から押圧力がかかっても容易に変形することはない。しかしながら、パネル部１２１には、表示窓部１３０用の表示窓枠１２０ａが開口しているので、この部分の剛性が低下している。また、リモコン２００の表示部２１０の下方の操作部２２０の不正操作をより確実に防止したい。凹部１２１ａおよび傾斜部１２１ｂを操作禁止領域部１４０の一部に含むことで、上記２点の要請を満たすことができる。ちなみに、パネル部１２１の凹部１２１ａと傾斜部１２１ｂとは、直線的な表示窓枠１２０ａを湾曲したパネル部１２１に徐々に繋いで隙間を防止する機能を兼ねている。
【００２３】
<本体ケースおよび端子台部>
図８は、パワーコンディショナ１００のフロントパネル１２０を取り外した本体ケース１１０の機械的構成を示す斜視図である。図９は、パワーコンディショナ１００の本体ケース１１０を前面から見た正面図である。図１０は、端子台部２に設けられたリモコン壁掛け用取付板２５０を示す斜視図である。
図８および図９に示すように、本体ケース１１０は、各種部品を収容する収容箱である。本体ケース１１０は、横長の略直方体枠状に形成され、その前面の全体が開放される。本体ケース１１０の下部には、ケーブル配線用の円形の貫通孔１１１が複数形成されている。
端子台部２は、図示しないＤＣ端子台を介して太陽光パネル３１０（図１６参照）に接続されるＤＣスイッチ部２４と、図示しないＡＣ端子台を介して商用電源系統の配電盤（図示省略）に接続されるヒューズホルダ２６と、リモコン壁掛け用取付板２５０（図１０参照）と、を備える。ＤＣスイッチ部２４には、各太陽光パネル３１０毎に電流をオン／オフする複数のスイッチが設けられている。ヒューズホルダ２６には、図示せぬヒューズが装着される。
【００２４】
図１０に示すように、端子台部２の前面には、リモコン壁掛け用取付板２５０がネジ止め固定されている。リモコン壁掛け用取付板２５０は、外付け可能（取外し可能）なリモコン２００（図８参照）本体をパワーコンディショナ１００内の所定位置に収容するための位置決め／取付部材である。図１０および後記図１４（ｂ）に示すように、リモコン壁掛け用取付板２５０は、リモコン２００の背面板を兼ねている。リモコン壁掛け用取付板２５０は、板状部材２５１と、板状部材２５１の上端部に設けられリモコン２００本体の上部を係止するフック２５２と、板状部材２５１の下端部に設けられリモコン２００本体の下部をネジ止め固定する固定部２５３と、端子台部２や屋内壁面等にネジ止めするためのネジ穴２５４と、を備える。板状部材２５１は、大口径の開口部２５１ａと、開口部２５１ａの周囲をＵ字形で囲む凸部２５１ｂと、を有する。なお、凸部２５１ｂは、板状部材２５１とは別部材の例えば弾性部材であってもよい。
【００２５】
リモコン壁掛け用取付板２５０は、開口部２５１ａが端子台部２のリモコン信号線配線用開口部２ａに連通するように取り付けられる。リモコン２００（図８参照）とパワーコンディショナ１００とは、有線接続され、リモコン２００がパワーコンディショナ１００内に収容された場合でもリモコン２００と通信インターフェース部９および制御部８（図８、図９、図１５参照）とは同様の有線接続である。このため、図示は省略するが、リモコン２００本体からの信号線は、リモコン壁掛け用取付板２５０の開口部２５１ａおよびリモコン信号線配線用開口部２ａに通される。
ここで、リモコン壁掛け用取付板２５０を、パワーコンディショナ１００内の端子台部２に取り付けるのではなく、後記する図１６（ａ）に示すように、屋内の壁等に取り付けてもよい。あるいは、図１０のリモコン壁掛け用取付板２５０と同一のリモコン壁掛け用取付板２５０を別途、屋内の壁等に取り付けてもよい。このようにすれば、リモコン２００（図８参照）本体をパワーコンディショナ１００内または屋内の壁等に自由に設置することができる。
【００２６】
<電気的構成>
図８および図９に示すように、パワーコンディショナ１００の内部において、端子台部２には、図示しないＤＣ端子台とＡＣ端子台とが設けられている。ＤＣ端子台は、太陽光パネル３１０（後記図１５参照）に接続され、ＡＣ端子台は商用電源系統３２０（後記図１５参照）に接続される。ＤＣスイッチ部２４には、各太陽光パネル３１０毎に電流をオン／オフする複数のスイッチが設けられている。接続箱機能部３２ａは、ＤＣスイッチ部２４を介して供給された直流電流を逆流防止用のダイオード（図示省略）を介して合成する。ＤＣフィルタ部３４ａは、合成された直流電圧・電流から脈動成分を除去する。接続箱機能部３２ａとＤＣフィルタ部３４ａとは、ＤＣフィルタ基板３に搭載されている。
【００２７】
ＤＣリアクトル４は、鉄心を有するリアクトルであり、ＤＣフィルタ基板３から出力された直流電流が通過する。ＤＣ／ＡＣ変換基板５は、ＤＣ−ＤＣコンバータ５２（図１５参照）、インバータ５４（図１５参照）、電解コンデンサ５６を搭載する。ＤＣ−ＤＣコンバータ５２（図１５参照）は、ＤＣリアクトル４から供給された直流電圧によって所定の直流電圧を生成し、電解コンデンサ５６を充電する。ここで、ＤＣリアクトル４およびＤＣ−ＤＣコンバータ５２（図１５参照）は、昇圧チョッパ回路を構成しており、電解コンデンサ５６の端子電圧は、３００〜４００Ｖ程度になる。
【００２８】
インバータ５４（図１５参照）は、電解コンデンサ５６の端子電圧をスイッチングすることにより、ＰＷＭ変調波である交流電圧を出力する。すなわち、この交流電圧は、方形波パルス状の波形を有し、そのデューティ比は正弦波状に変動する。
【００２９】
ＡＣリアクトル６は鉄心を有するリアクトルであり、インバータ５４（図１５参照）の出力電圧から高調波成分を除去する。ただし、ＡＣリアクトル６のみでは高調波成分を充分に除去しきれないため、後段のＡＣフィルタ部７２ａにおいて、さらに高調波成分が除去される。図示しないＡＣリレー部は、ＡＣフィルタ部７２ａと商用電源系統との接続状態（オン／オフ状態）を切り替える。すなわち、ＡＣフィルタ部７２ａと商用電源系統とを接続するためには、両者の電圧差、位相差等について所定の条件が満たされている必要がある。
【００３０】
電圧差、位相差等の条件が満たされた場合は、ＡＣリレー部（図示省略）はオン状態に設定され、これにより、ＡＣフィルタ部７２ａの出力電力は、ＡＣリレー部（図示省略）、ヒューズホルダ２６、ＡＣ端子台（図示省略）を介して商用電源系統に供給される。
パワーコンディショナ１００は、表示部８ａおよび操作部８ｂを有する制御部８と、通信インターフェース部９と、を備える。制御部８および通信インターフェース部９は、制御基板に備えられている。制御部８は、ＣＰＵ（Central Processing Unit）やメモリ等を有し、メモリに格納された制御プログラムに基づいて、パワーコンディショナ１００内の各部を制御する。なお、表示部８ａおよび操作部８ｂは、点検作業を行う操作者のみが、する。点検作業者は、パワーコンディショナ１００のフロントパネル１２０を開放して、基板上に設置された７セグメントなどの表示部８ａ等を確認し、操作部８ｂによる点検作業を行う。
【００３１】
ヒートシンク１４（図３参照）は、背面窓（図示省略）よりもやや小サイズの略長方形板状に形成され、その前面は平面状に形成されるとともに、背面には複数のフィンが形成されている。ヒートシンク１４は、その前面が背面窓（図示省略）から露出し、後面は背面カバー１６によって覆われる。ヒートシンク１４の前面中央部分には、ＤＣ／ＡＣ変換基板５が装着される。ＤＣ／ＡＣ変換基板５の裏面には、ＩＧＢＴ（Insulated Gate Bipolar Transistor：絶縁ゲートバイポーラトランジスタ）等の複数のパワー半導体素子（図示省略）が搭載されており、これらパワー半導体素子がヒートシンク１４に衝合しつつ取り付けられる。この結果、ＤＣ／ＡＣ変換基板５は、ヒートシンク１４に対して前方に若干（数ｍｍ程度）隔てた位置に固定される。
【００３２】
電解コンデンサ５６は、実際には複数の電解コンデンサ５６ａを直並列接続して構成されている。これら電解コンデンサ５６ａは、ＤＣ／ＡＣ変換基板５の下辺および右辺に沿って装着されている。上述したパワー半導体素子は、電解コンデンサ５６ａの装着位置を除いた領域の裏面に装着されている。また、ヒートシンク１４の左上隅および右上隅には、ＤＣリアクトル４およびＡＣリアクトル６が絶縁シート（図示省略）を介して装着される。
【００３３】
パワー半導体素子、ＤＣリアクトル４、ＡＣリアクトル６は、発熱量が大きいためにヒートシンク１４に装着されているが、これらの部品から放出される熱は、パワーコンディショナ１００の筺体内にも放射され、対流によって他の部品にも伝搬される。「他の部品」のうち、電解コンデンサ５６ａは熱による劣化が特に生じやすいため、パワー半導体素子、ＤＣリアクトル４、ＡＣリアクトル６の上方には位置しないように配置されている。
【００３４】
ＤＣフィルタ基板３は、略Ｌ字状に形成され、ＤＣリアクトル４の下方に配置される。ＤＣフィルタ基板３の前面には、インダクタ等、ＤＣフィルタ部３４ａ（図８参照）の構成部品が配置されている。また、ＤＣフィルタ基板３には、縦長形状のヒートシンク（図示省略）が装着されている。このヒートシンク（図示省略）は、接続箱機能部３２ａ（図８参照）に含まれる逆流防止用のダイオードを冷却する。
ＡＣフィルタ基板７（図８参照）は、略逆Ｌ字状に形成され、ＡＣリアクトル６の下方に配置される。ＡＣフィルタ基板７の前面には、インダクタ（図示省略）等、ＡＣフィルタ部７２ａ（図８参照）の構成部品が配置されている。
【００３５】
ＤＣリアクトル４およびＡＣリアクトル６の下方にＤＣフィルタ基板３およびＡＣフィルタ基板７を取り付けた後、本体ケース１１０の前面には、その左右端を繋ぐように、補強板１２と端子台部２とが装着される。端子台部２の中央部分には、後側に凹んだ凹部が形成されており、その凹部にＤＣスイッチ部２４とヒューズホルダ２６とが装着されている。さらに、補強板１２には、制御部８が取り付けられる。そして、本体ケース１１０の前面に、フロントパネル１２０（図１等参照）を装着すると、防滴構造を有し屋外設置可能なパワーコンディショナ１００が完成する。
【００３６】
ＤＣスイッチ部２４の後方には、ＤＣフィルタ基板３に装着されたヒートシンク（図示省略）が位置している。ヒートシンク（図示省略）は、電解コンデンサ５６ａよりも若干左側に配置されている。これにより、ヒートシンク（図示省略）にて発生した熱気は、電解コンデンサ５６ａには当たらないように上方向に上昇する。
【００３７】
本実施形態では、横長の（上下方向の幅よりも、左右方向の幅が長い）本体ケース１１０を適用し、その左上隅および右上隅に、ＤＣリアクトル４およびＡＣリアクトル６を配置している。ＤＣリアクトル４およびＡＣリアクトル６は、それぞれ強い磁束を発生するため、両者を近接させると、相互インダクタンスにより影響を及ぼし合い、電波障害を起こす原因になり得る。この場合、電波障害を軽減するためには、ＤＣフィルタ部３４ａおよびＡＣフィルタ部７２ａとして高性能なものを適用せざるを得なくなり、コストアップにつながる。したがって、ＤＣリアクトル４およびＡＣリアクトル６の距離をなるべく離すことが、安価に電波障害を軽減するために有効な手段である。
【００３８】
また、ＤＣリアクトル４およびＡＣリアクトル６は、発熱量が大きいため、他の部品の温度上昇を抑制するためには、本体ケース１１０内でなるべく上部に配置することが望ましい。このような事情に鑑みれば、本体ケース１１０として横長のものを採用し、その左上隅および右上端にＤＣリアクトル４およびＡＣリアクトル６を配置することが最適であると考えられる。
【００３９】
また、ＤＣ−ＤＣコンバータ５２（図１５参照）およびインバータ５４（図１５参照）は、電解コンデンサ５６に対する充放電を行うものであるため、これらの要素をなるべく近接させると、不要輻射や電力損失を抑制できる。これらの要素をＤＣ／ＡＣ変換基板５として、まとめて実装することが望ましい。そして、ＤＣ／ＡＣ変換基板５をＤＣリアクトル４とＡＣリアクトル６との間に配置すると、電流が流れる順序（ＤＣリアクトル４→ＤＣ／ＡＣ変換基板５→ＡＣリアクトル６）に従って、これらの構成要素４，５，６を配置することができる。これにより、構成要素４，５，６間を接続するケーブルを短くすることができるから、ケーブルのコストを削減できるとともに、組立性を高めることができ、ケーブルにおける不要輻射や電力損失も抑制することができる。
【００４０】
また、ＤＣリアクトル４の下方にＤＣフィルタ基板３を配置し、ＡＣリアクトル６の下方にＡＣフィルタ基板７を配置すると、それぞれを接続するためのケーブルを短くすることができ、不要輻射や電力損失を一層抑制できる点で望ましい。以上のように、ＤＣフィルタ基板３、ＤＣリアクトル４、ＤＣ／ＡＣ変換基板５、ＡＣリアクトル６、ＡＣフィルタ基板７を略コ字状をなすように配置することにより、不要輻射や電力損失を抑制しつつ、各要素の温度上昇（特に電解コンデンサ５６ａの温度上昇）を抑制できる。
【００４１】
<運転切替スイッチ>
図９に示すように、本体ケース１１０の底部には、運転切替スイッチ１５０が設置されている。運転切替スイッチ１５０は、リモコン２００の操作部２２０による操作をパワーコンディショナ１００側で行うために設置される。上述したように、フロントパネル１２０には、収容されたリモコン２００の操作部２２０による操作を物理的に禁止する操作禁止領域部１４０（図１等参照）が設けられている。したがって、パワーコンディショナ１００内にリモコン２００を収容してしまうと、パワーコンディショナ１００の外からリモコン２００の操作を行うことはできない。ただし、この場合でもリモコン２００の操作部２２０に対応する操作（例えば、「連系」「抑制」の切替え操作）を行いたい場合が考えられる。そこで、本体ケース１１０の底部に、運転切替スイッチ１５０を設ける。運転切替スイッチ１５０は、操作バー１５１が下方を向くように設置され、運転切替スイッチ１５０の操作領域が蓋１１２により密閉される。本体ケース１１０の底面１１０ｂに蓋１１２が取り付けられた状態では、底面１１０ｂと蓋１１２表面は面一で揃う（図２参照）。
【００４２】
図１１は、運転切替スイッチ１５０を説明する図であり、（ａ）は運転切替スイッチ１５０の設置場所を示す斜視図、（ｂ）は運転切替スイッチ１５０の蓋を示す斜視図である。図１２は、運転切替スイッチ１５０の構造を示す斜視図であり、（ａ）は運転切替スイッチ１５０および樹脂ケースの斜視図、（ｂ）は樹脂ケースを取り外した場合の運転切替スイッチ１５０の斜視図である。図１３は、運転切替スイッチ１５０および樹脂ケースを含む本体ケース１１０の底部の要部断面図である。
図１１および図１３に示すように、本体ケース１１０の底面１１０ｂには、運転切替スイッチ１５０の蓋１１２を収容するための凹部１１０ｃと、凹部１１０ｃから更に内部側に窪んで開口して運転切替スイッチ１５０の取付面となる取付面部１１０ｄと、が形成されている。凹部１１０ｃの形状は、蓋１１２の外形形状に揃えられており、蓋１１２を凹部１１０ｃに隙間や段差なく取付けることができる。図１１に示すように、蓋１１２は、長方形状の板状部１１２ａと、板状部１１２ａの一方の端部に開口したネジ穴１１２ｂと、板状部１１２ａの他方の端部に開口した切欠き形状ネジ穴１１２ｃと、板状部１１２ａの裏面に固着された第１防水パッキン１１３（図１２（ｂ）および図１３参照）と、を備える。第１防水パッキン１１３は、ゴム等の弾性部材からなり板状部１１２ａに合わせて略長方形に形成される。
【００４３】
図１１（ａ）に示すように、ネジ穴１１２ｂは、脱落防止用のワッシャ付ネジ１１４の径よりもやや大きく形成されており、ネジ穴１１２ｂをワッシャ付ネジ１１４で遊嵌しながら締結される。蓋１１２は、取付または取外時のいずれの場合であっても一方のワッシャ付ネジ１１４によって、本体ケース１１０の底面１１０ｂに取り付けられたままの状態である。ここで、蓋１１２のネジ穴１１２ｂは、ワッシャ付ネジ１１４に遊嵌されているので、蓋１１２は、取付または取外時には当該ワッシャ付ネジ１１４の周方向および軸方向に遊びを持って動かすことができる。取付時、他方のワッシャ付ネジ１１４に切欠き形状ネジ穴１１２ｃの案内部を係合させ、締結位置まで移動させた後、切欠き形状ネジ穴１１２ｃのワッシャ付ネジ１１４、およびネジ穴１１２ｂのワッシャ付ネジ１１４を締結する。取外時は、上記とは逆手順で、ワッシャ付ネジ１１４から切欠き形状ネジ穴１１２ｃが開放される。
【００４４】
本実施形態では、ワッシャ付ネジ１１４を用いるとともにワッシャ付ネジ１１４を本体ケース１１０の底面１１０ｂに残存させる構成を採るので、蓋１１２の取付または取外時に、蓋１１２およびワッシャ付ネジ１１４を落下させたり、紛失させることを未然に防止することができる。また、蓋１１２を一方のワッシャ付ネジ１１４に遊嵌させた状態で、取付または取外しするので、簡単に作業を行うことができる。特に、本体ケース１１０の底面１１０ｂでは、目視しずらい作業となるが、いわゆる手先の感覚によって取付または取外し作業を行うことができるので、作業効率を高めることができる。
【００４５】
図１２（ｂ）および図１３に示すように、運転切替スイッチ１５０は、操作バー１５１、および取付ナット１５２を備え、樹脂ケース１５５に取付ナット１５２でネジ止め固定される。樹脂ケース１５５は、埋め込みネジ止め部１５５ａ（図１２（ａ）参照）を備え、樹脂ケース１５５は、図示しないネジにより、第２防水パッキン１５７を挟んで取付面部１１０ｄに固定される。第２防水パッキン１５７は、ゴム等の弾性部材を略長方形枠状に形成してなる。
また、図１２に示すように、本体ケース１１０の底面１１０ｂの凹部１１０ｃの裏面には、蓋固定用ナット１５６がスポット溶接されている。切欠き形状ネジ穴１１２ｃのワッシャ付ネジ１１４、およびネジ穴１１２ｂのワッシャ付ネジ１１４は、蓋固定用ナット１５６，１５６にネジ止めされている。
図１３に示すように、運転切替スイッチ１５０の内部は、蓋１１２の裏面と凹部１１０ｃとの間の第１防水パッキン１１３と、樹脂ケース１５５と取付面部１１０ｄとの間の第２防水パッキン１５７の、二箇所のパッキンによって二重に防水が施される。このため、高い水密性を確保することができる。
【００４６】
パワーコンディショナ１００は、屋外に設置されるので、風雨にさらされることは避けられない。運転切替スイッチ１５０は、本体ケース１１０の底面１１０ｂに向かって操作領域が開口しており、通常時は蓋１１２で塞がれている。パワーコンディショナ１００に付着した雨水は、本体ケース１１０の側面を流下して底面１１０ｂから滴下する。したがって、底面１１０ｂの蓋１１２の周囲は、雨水が浸入しやすい箇所となっている。また、運転切替スイッチ１５０は、フロントパネル１２０に操作禁止領域部１４０を設けた関係で、本体ケース１１０に新たに設置したものである。新たに導入した運転切替スイッチ１５０を覆う蓋１１２の周囲について、特に防水機能を完全にしたい要請がある。本実施形態では、蓋１１２の裏面と凹部１１０ｃとの間の第１防水パッキン１１３と、樹脂ケース１５５と取付面部１１０ｄとの間の第２防水パッキン１５７とによる防滴構造を採ることで、雨水の浸入を遮断することができる。
【００４７】
［リモコン］
図１４は、リモコン２００の構成を示す図であり、（ａ）はリモコン２００の正面図、（ｂ）はリモコン２００およびリモコン壁掛け用取付板２５０の分解斜視図である。
図１４（ａ）に示すように、リモコン２００は、パワーコンディショナ１００に収容可能な直方体形状のリモコン筺体２００ａと、リモコン筺体２００ａの表面の上部に配置された表示部２１０と、表示部２１０の下部に配置された操作部２２０と、を備える。
表示部２１０は、ＬＣＤディスプレイ（Liquid Crystal Display）、７セグメントおよび各ドライバ等により構成される。７セグメントは、ＬＥＤ（Light Emitting Diode）等の発光素子であってもよい。表示部２１０は、「連系」「自立」「抑制」の運転状況と交流電力出力データである発電量とを表示する。運転状況表示は、運転切替後の運転状況に連動して表示される。また、発電量表示は、７セグメント表示を利用して、数字、英文字の組み合わせでコード表示が可能である。
【００４８】
操作部２２０は、例えばメンブレンスイッチ（membrane switch）により構成される。操作部２２０は、「連系」「自立」「停止」のスイッチを備え、押下により操作する。「連系」は、パワーコンディショナ１００は、直流電力を交流電力に変換し、外部の負荷または商用電源系統に供給する。「停止」は、パワーコンディショナ１００は、連系動作を停止する。「自立」は、パワーコンディショナ１００は、系統との連系を行わない。例えば、停電時などで「自立」を選択すると、直流電力を交流電力に変換するものの、外部の負荷または商用電源系統に供給せず、自家で消費・蓄積する。
【００４９】
なお、操作部２２０の「連系」「自立」「停止」は一例であり、「連系」「停止」のみであってもよい。また、その他の操作、例えば「点検作業」を設けてもよい。このような場合、上記表示部２１０は、操作部２２０の操作に対応する表示とする。さらに、運転切替スイッチ１５０（図１１〜１３参照）ついても、操作部２２０の操作に対応した切替スイッチとすることが好ましい。
【００５０】
［システム構成］
図１５は、パワーコンディショナ１００およびリモコン２００を使用した太陽光発電システム３００の構成を示す図である。
図１５に示すように、太陽光発電システム３００は、太陽光パネル３１０と、パワーコンディショナ１００と、パワーコンディショナ１００に有線ケーブル３３０を介して有線接続されたリモコン２００と、を備える。
太陽光パネル３１０およびパワーコンディショナ１００は、屋外に設置される。
リモコン２００は、リモコン壁掛け用取付板２５０（図示省略）の取付場所に設置される。リモコン壁掛け用取付板２５０は、パワーコンディショナ１００の本体ケース１１０の内部、または屋内の壁など任意の場所に取り付け可能である。したがって、リモコン２００は、パワーコンディショナ１００内に収納されて使用する場合と、パワーコンディショナ１００外に設置されて、パワーコンディショナ１００を外から操作する場合とがある。また、これら使用方法の変更も可能である。
パワーコンディショナ１００は、ＤＣ−ＤＣコンバータ５２（図８および図９参照）と、インバータ５４（図８および図９参照）と、表示部８ａおよび操作部８ｂを有する制御部８と、通信インターフェース部９と、を備える。
通信インターフェース部９は、パワーコンディショナ１００とリモコン２００とを有線ケーブル３３０により接続するためのインターフェース部である。
ＤＣ−ＤＣコンバータ５２およびインバータ５４は、太陽光パネル３１０が出力する直流電力を交流電力に変換して商用電源系統３２０に出力する。
【００５１】
以下、上述のように構成されたパワーコンディショナ１００およびリモコン２００の使用方法について説明する。
<リモコンの屋内設置>
図１６は、パワーコンディショナ１００およびリモコン２００の使用方法を説明する図であり、（ａ）はリモコン２００が屋内に設置されている場合の使用例、（ｂ）はリモコン２００がパワーコンディショナ１００内に収容されている場合の使用例である。
図１６（ａ）に示すように、家屋３０１の屋根３０２には、太陽光パネル３１０が設置されている。パワーコンディショナ１００は、屋外（家屋３０１の外壁）に設置され、図示しない電源ケーブル（電力線）によって太陽光パネル３１０に接続されている。また、パワーコンディショナ１００の出力側は、商用電源系統３２０（図１５参照）に接続されている。なお、パワーコンディショナ１００は、屋根裏や階段下倉庫等に配置される場合もある。
一方、リモコン２００は、家屋３０１の屋内の内壁に固定されたリモコン壁掛け用取付板２５０に取り付けられている。リモコン２００は、居間等のユーザが表示確認しやすい位置に配置される。リモコン２００とパワーコンディショナ１００内の通信インターフェース部９および制御部８とは、有線ケーブル３３０により接続されている。
【００５２】
リモコン２００の操作部２２０が「連系」となっている場合、表示部２１０は運転状況「連系」および発電量を表示する。パワーコンディショナ１００は、太陽光パネル３１０から供給された直流電力を交流電力に変換し、商用電源系統３２０に供給する。リモコン２００の操作部２２０が「停止」となっている場合、表示部２１０は「抑制」を表示して、上記「連系」の運転操作を停止する。
このように、一般使用者（ユーザ）は、パワーコンディショナ１００の状態をリモコン２００の表示部２１０で確認することができ、また操作部２２０によりパワーコンディショナ１００を遠隔操作することができる。
【００５３】
<パワーコンディショナ内リモコン収容>
図１６（ｂ）に示すように、パワーコンディショナ１００内にリモコン２００を収容することができる。パワーコンディショナ１００内にリモコン２００を収容する場合、あらかじめ、リモコン２００がパワーコンディショナ１００内に収容されて提供される場合と、図１６（ａ）に示す屋内のリモコン２００が、屋外のパワーコンディショナ１００内に移設される場合とがある。
【００５４】
図１６（ｂ）に示すように、パワーコンディショナ１００内にリモコン２００を備える場合について考察する。
パワーコンディショナ１００内にリモコン２００を収容した場合、前記図１、図３（ａ）および図６に示すように、リモコン２００の表示部２１０の表示内容が、フロントパネル１２０のパネル部１２１の表示窓部１３０にそのまま表示される。ここでは、リモコン２００の表示部２１０が表示している運転状況（「連系」「自立」「抑制」）と発電量の７セグメント表示が表示窓部１３０にそのまま表示される。
一般使用者（ユーザ）は、パワーコンディショナ１００の状態を、パワーコンディショナ１００内に収容されたリモコン２００の表示部２１０によって、直接確認することができる。
換言すれば、パワーコンディショナ１００内にリモコン２００を収容した場合、収容したリモコン２００の表示部２１０と操作部２２０のうち、表示部２１０のみを外部から見えるようにする。
【００５５】
本実施形態では、表示窓部１３０（図７参照）を構成するフロントパネル表側透過板１３１には、スモーク印刷１３１ｂが施されているので、鮮明ではあるもののトーンを落とした状態で表示される。また、トーンが落とされていることで、必要な視認性は確保しつつ、リモコン２００の表示部２１０の表示画面がフロントパネル１２０の表側から極端に目立って表示されることを抑制することができる。また、表示窓部１３０のフロントパネル表側透過板１３１にスモーク印刷１３１ｂが施されていることで、パワーコンディショナ１００内にリモコン２００を収容していない場合に（例えば、図５（ａ）参照）、パワーコンディショナ１００の内部を適度に目隠しすることができ、パワーコンディショナ１００の外観の審美性を向上させることができる。
【００５６】
パワーコンディショナ１００は、パワーコンディショナ１００内に収容されたリモコン２００の操作部２２０に対して、外部からの操作を物理的に禁止する操作禁止領域部１４０を備える。本実施形態では、操作禁止領域部１４０は、表示窓部１３０の下方のパネル部１２１に形成されている。表示窓部１３０は、開口部であるためその直下の操作禁止領域部１４０はより変形に留意する必要がある。
外部からの操作を物理的に禁止するためには、外部からの押圧力や衝撃があってもパネル部１２１の操作禁止領域部１４０が容易に変形しないことが求められる。その具体的構造として、本実施形態では、下記構造を採る。
【００５７】
（１）パネル部１２１が、前面視して中央側で前方向に凸となるように湾曲していること。
パネル部１２１が中央側で凸となるように湾曲していることで、フロントパネル１２０前後方向の曲げ剛性を向上させることができ、パネル部１２１の操作禁止領域部１４０の曲げ剛性を高めることができる。
（２）操作禁止領域部１４０が、パネル部１２１に形成された凹部１２１ａおよび傾斜部１２１ｂのうち、下辺の凹部１２１ａおよび傾斜部１２１ｂを含んでいること。
凹部１２１ａおよび傾斜部１２１ｂの稜線方向の支持力向上によりパネル部１２１の曲げ剛性を高めることができる。
本実施形態では、上記（１）（２）の構造を併用しているので、操作禁止領域部１４０の押圧力や衝撃に対する剛性をより一層高めることができる。ただし、上記（１）（２）のいずれか１つでもよい。
【００５８】
なお、上記（１）（２）の構造のほか、フロントパネル１２０全体の板厚を厚くする、より曲げ剛性の強い強靭な材料を用いる、別途補強部材を用いて補強する、該当部分の板厚を厚くするなどの方法が考えられる。これらの方法ではコストアップとなる懸念があるが、採用を妨げるものではない。
また、上記凹部１２１ａおよび傾斜部１２１ｂは、湾曲したパネル部１２１に、直線的な表示窓部１３０を設ける関係で必要な構造である。このため、上記（２）の構造を採ることで、操作禁止領域部１４０の剛性を高めることができ、コストアップを避けることができる。
【００５９】
以上説明したように、本実施形態に係るパワーコンディショナ１００は、開口部１１０ａを有する本体ケース１１０（筺体）と、開口部１１０ａを覆うフロントパネル１２０と、備える。フロントパネル１２０は、リモコン２００の表示部２１０を光学的に露出させる表示窓部１３０と、リモコン２００の操作部２２０に対して、外部からの操作を物理的に禁止する操作禁止領域部１４０と、を備える。
この構成により、パワーコンディショナ１００内でリモコン２００利用の際は、リモコン２００の表示部２１０のみが表から見えるようにすることができ、かつ、パワーコンディショナ１００外からの不正押圧操作を防止することができる。リモコン２００をパワーコンディショナ１００内や屋内など様々な場所で利用することができ、リモコン２００の配置の自由度を高めることができる。
【００６０】
本発明は上記実施形態に限定されるものではなく、特許請求の範囲に記載した本発明の要旨を逸脱しない限りにおいて、他の変形例、応用例を含む。
【００６１】
上記実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
上記実施形態では、屋外設置機器の一例として太陽光発電用のパワーコンディショナ１００に本発明を適用した例を説明したが、パワーコンディショナ１００は屋外設置機器全般、例えば非常用電源設備、空調機器、通信機器、照明機器、道路表示板等であってもよい。
【符号の説明】
【００６２】
１００  パワーコンディショナ
１１０  本体ケース（筺体）
１１２  蓋
１１３  第１防水パッキン
１２０  フロントパネル
１２０ａ  表示窓枠
１２１ａ  凹部
１２１ｂ  傾斜部
１３０  表示窓部
１３１  フロントパネル表側透過板（透過板）
１３２  フロントパネル裏側透過板（透過板）
１３３，１３４  構造用接合テープ（固定部材）
１４０  操作禁止領域部
１５０  運転切替スイッチ（運転切替部）
１５７  第２防水パッキン
２００  リモコン
２００ａ  リモコン筺体
２１０  表示部
２２０  操作部
２５０  リモコン壁掛け用取付板
３１０  太陽光パネル
３２０  商用電源系統
３３０  有線ケーブル
【図１】
2018068091.tif 000003
【図２】
2018068091.tif 000004
【図３】
2018068091.tif 000005
【図４】
2018068091.tif 000006
【図５】
2018068091.tif 000007
【図６】
2018068091.tif 000008
【図７】
2018068091.tif 000009
【図８】
2018068091.tif 000010
【図９】
2018068091.tif 000011
【図１０】
2018068091.tif 000012
【図１１】
2018068091.tif 000013
【図１２】
2018068091.tif 000014
【図１３】
2018068091.tif 000015
【図１４】
2018068091.tif 000016
【図１５】
2018068091.tif 000017
【図１６】
2018068091.tif 000018